(57)【要約】      （修正有）【課題】操作力を効率的に網の張力に変換することができ、なおかつ網部材の変形が進行した場合の対応能力を向上させることができる振動スクリーンを提供する。【解決手段】支持架台に振動可能に支持された枠状のスクリーンフレーム１６と、スクリーンフレーム１６の内壁に端部が拘束されたスクリーン１７と、スクリーンフレーム１６を加振する加振装置とを備えた振動スクリーン１５において、スクリーン１７の中間部を下部側から支持する網支持部材５０と、スクリーンフレーム１６に支持され、網支持部材５０を上下方向にスライドさせてスクリーン１７の緊張状態を調整する緊張装置５５とを備える。【選択図】図２
2009279526.tif 000002
【特許請求の範囲】
【請求項１】
支持架台に振動可能に支持された枠状のスクリーンフレームと、前記スクリーンフレームの内壁に端部が拘束された網部材と、前記スクリーンフレームを加振する加振装置とを備えた振動スクリーンにおいて、
前記網部材の中間部を下部側から支持する網支持部材と、
前記スクリーンフレームに支持され、前記網支持部材を上下方向にスライドさせて前記網部材の緊張状態を調整する緊張装置と
を備えたことを特徴とする振動スクリーン。
【請求項２】
請求項１の振動スクリーンにおいて、前記緊張装置は、
前記スクリーンフレームの内側に掛け渡された支持ビームと、
前記支持ビーム上に固定されたベース、前記網支持部材を支持するスライドフレーム、前記ベース及び前記スライドフレームを連結する複数のリンクアーム、及び前記リンクアームに保持された一対の雌ねじコマを有するパンタグラフ型のリンク部材と、
前記一対の雌ねじコマに螺合する雄ねじ部を有し、端部が前記スクリーンフレームの側壁に設けた小孔に臨むシャフトと、
前記シャフトの両端部に選択的に着脱可能なシャフト回転操作用のハンドルとを備え、
前記シャフトの端部に前記ハンドルを装着し前記シャフトを回転操作することにより前記スライドフレームを上下にスライドさせることを特徴とする振動スクリーン。
【請求項３】
請求項２の振動スクリーンにおいて、
前記スライドフレーム上には前記網支持部材が前記スライドフレームの延在方向に並べて複数設置されており、
前記複数のリンクアームは、前記スライドフレームの長手方向中央部近傍又は前記スライドフレームの端部近傍を支持している
ことを特徴とする振動スクリーン。
【請求項４】
請求項３の振動スクリーンにおいて、前記スライドフレームは、前記網部材の選別物の通過範囲の幅に亘って前記シャフトの上方をカバーしていることを特徴とする振動スクリーン。
【請求項５】
請求項１の振動スクリーンにおいて、前記緊張装置は、
前記スクリーンフレームの内側に渡され前記スライドフレームの延在方向に並べて複数設置された前記網支持部材を支持し、両端部が前記スクリーンフレームの側壁に設けた小孔に臨むスライドフレームと、
前記スライドフレームの両端部に回転自在に保持された雌ねじコマと、
上下に延在する姿勢で前記スクリーンフレームに支持され、前記雌ねじコマを螺合させた雄ねじ部材とを備え、
前記雌ねじコマを回転操作することにより前記スライドフレームを上下にスライドさせることを特徴とする振動スクリーン。
【発明の詳細な説明】
【技術分野】
【０００１】
本発明は、例えば土砂、砕石、木材チップ等の被選別物を粒の大きさ（粒度）に応じて選別する振動スクリーンに関する。
【背景技術】
【０００２】
振動スクリーンは網部材（スクリーン）を内側に装着した枠体を加振することでこれに投入される被選別物を篩い分けるので、投入される被選別物の重量により網部材の素線にかかる荷重は振動運動による被選別物との衝突・摩擦も相俟って非常に高い値となる。そのため、選別作業を反復して実施することによって網部材の素線の変形が弾性変形域から塑性変形域に移行すると、網部材に緩みが発生してしまい加振装置により加える振動が網部材に効率良く伝わらず選別作業の効率が低下する。
【０００３】
そこで網部材に生じた緩みの除去に機能するものとして、中央部が凸状に曲成されたアーチ状の回動腕を網部材の下面に押し当てて網部材に張りを与える緊張装置が既に提唱されている。この緊張装置では、選別作業に伴って網部材に更なる緩みが生じた場合には、先の回動腕を回動させて凸状の中央部を網部材に更に押し当てることで網部材に再び張りを持たせる（特許文献１等参照）。
【０００４】
【特許文献１】実公昭６３−１８４７０号公報
【発明の開示】
【発明が解決しようとする課題】
【０００５】
しかしながら上記従来技術では、回動腕を回転させて湾曲したその中央部を網部材の下面に押し付ける構成であるため、回動腕の中央部の回転半径が大きくなると回動腕の操作に要するトルクもそれだけ大きくなる。また回転半径が大きくなると回動腕自体にかかるねじりモーメントが増大するため、回動腕をある程度大径化しなければならなくなる。これらのことから回動腕の中央部の回転半径は実際にはさほど大きくすることができない。回動腕の回転半径が十分に確保できない場合、長期に亘って網部材の緊張と弛緩を繰り返すうちに進行する網部材の変形に追従できなくなってしまい、緊張すればまだ使用できる網部材を交換せざるを得ない事態が生じ易くなる。
【０００６】
本発明はこうした事情に鑑みなされたものであり、操作力を効率的に網の張力に変換することができ、なおかつ網部材の変形が進行した場合の対応能力を向上させることができる振動スクリーンを提供することを目的とする。
【課題を解決するための手段】
【０００７】
（１）上記目的を達成するために、本発明は、支持架台に振動可能に支持された枠状のスクリーンフレームと、前記スクリーンフレームの内壁に端部が拘束された網部材と、前記スクリーンフレームを加振する加振装置とを備えた振動スクリーンにおいて、前記網部材の中間部を下部側から支持する網支持部材と、前記スクリーンフレームに支持され、前記網支持部材を上下方向にスライドさせて前記網部材の緊張状態を調整する緊張装置とを備えたことを特徴とする。
【０００８】
（２）上記（１）において、好ましくは、前記緊張装置は、前記スクリーンフレームの内側に掛け渡された支持ビームと、前記支持ビーム上に固定されたベース、前記網支持部材を支持するスライドフレーム、前記ベース及び前記スライドフレームを連結する複数のリンクアーム、及び前記リンクアームに保持された一対の雌ねじコマを有するパンタグラフ型のリンク部材と、前記一対の雌ねじコマに螺合する雄ねじ部を有し、端部が前記スクリーンフレームの側壁に設けた小孔に臨むシャフトと、前記シャフトの両端部に選択的に着脱可能なシャフト回転操作用のハンドルとを備え、前記シャフトの端部に前記ハンドルを装着し前記シャフトを回転操作することにより前記スライドフレームを上下にスライドさせることを特徴とする。
【０００９】
（３）上記（２）において、好ましくは、前記スライドフレーム上には前記網支持部材が前記スライドフレームの延在方向に並べて複数設置されており、前記複数のリンクアームは、前記スライドフレームの長手方向中央部近傍又は前記スライドフレームの端部近傍を支持していることを特徴とする。
【００１０】
（４）上記（３）において、好ましくは、前記スライドフレームは、前記網部材の選別物の通過範囲の幅に亘って前記シャフトの上方をカバーしていることを特徴とする。
【００１１】
（５）上記（１）において、好ましくは、前記緊張装置は、前記スクリーンフレームの内側に渡され前記スライドフレームの延在方向に並べて複数設置された前記網支持部材を支持し、両端部が前記スクリーンフレームの側壁に設けた小孔に臨むスライドフレームと、前記スライドフレームの両端部に回転自在に保持された雌ねじコマと、上下に延在する姿勢で前記スクリーンフレームに支持され、前記雌ねじコマを螺合させた雄ねじ部材とを備え、前記雌ねじコマを回転操作することにより前記スライドフレームを上下にスライドさせることを特徴とする。
【発明の効果】
【００１２】
本発明によれば、操作力を効率的に網の張力に変換することができ、なおかつ網部材の変形が進行した場合の対応能力を向上させることができる。
【発明を実施するための最良の形態】
【００１３】
以下に図面を用いて本発明の実施の形態を説明する。
【００１４】
図１は本発明の第１の実施の形態に係る振動スクリーンを搭載した自走式スクリーンの全体構成を表す側面図、図２は図１中のII−II断面による断面図であって振動スクリーン１５と排出コンベア３０の断面を抽出して表している。以下の説明において、図１中の左・右をそれぞれ本自走式スクリーンにおける後・前とし、また自走式スクリーンの後・前を後述する本体フレーム７の長手方向の一方側・他方側と適宜記載する。図２中の右・左をそれぞれ自走式スクリーンの右・左とする。
【００１５】
図示した自走式スクリーンは、自力走行をするための走行体１と、この走行体１上に設けられた本体フレーム７と、この本体フレーム７上に搭載された支持架台９と、この支持架台９上に設けられた振動式の振動スクリーン（振動篩）１５と、支持架台９の後端部に取り付けられたサイドコンベア２６と、振動スクリーン１５を通過した粒度の小さい選別物を搬送し排出する排出コンベア３０と、本体フレーム７に搭載されたパワーユニット（動力装置）２５とを備えている。
【００１６】
走行体１は、左右一対のトラックフレーム２と、このトラックフレーム２の後端に設けた従動輪３と、トラックフレーム２の前端に設けた駆動輪４と、この駆動輪４に直結した駆動装置（走行用油圧モータ）５と、従動輪３及び駆動輪４に掛け回した無限軌道式の履帯６とで構成されている。
【００１７】
本体フレーム７は、走行体１よりも前方に前端部が張り出すようにトラックフレーム２の上部に配設されている。本体フレーム７の後端部は走行体１の後端部に前後位置がほぼ一致している。
【００１８】
支持架台９は、本体フレーム７上に走行体１の後方に張り出すように配設されており、本体フレーム７上に固定されたボトムフレーム１０と、このボトムフレーム１０上に立設された複数のポスト１１と、ポスト１１上に略水平に設けたトップフレーム１２と、トップフレーム１２上に傾動可能に設けた傾動フレーム１３と、ボトムフレーム１０の後部に設けたリアフレーム１４とを備えている。
【００１９】
振動スクリーン１５は、投入される被選別物を粒度に応じて選別するもので、支持架台９の傾動フレーム１３上にばね１９を介して振動可能に支持された枠型のスクリーンフレーム（枠体）１６と、スクリーンフレーム１６の内壁に端部が拘束された所定の目の大きさのスクリーン（網部材）１７と、スクリーンフレーム１６を加振する加振装置（振動体）２０とを備えており、前後方向中心位置はほぼ走行体１の後端の上方に位置している。図１ではばね１９としてラバースプリングを用いているが、コイルバネ等の他の弾性体でも良い。このバネ１９は、スクリーンフレーム１６の左右両側においてそれぞれ前後に配置され、スクリーンフレーム１６は計４つのばね１７で支持されている。振動スクリーン１５は、駆動装置２０を駆動してスクリーンフレーム１６及びその内部のスクリーン１７を一体的に揺さ振ることによって投入された被選別物のうち、スクリーン１７の目の大きさよりも小さなものを通過させ、それより粒度の大きなものを選別する。
【００２０】
このとき、振動スクリーン１５を支持する傾動フレーム１３はピン２１を介して前側部分でトップフレーム１２に対して傾動可能に支持されており、後側部分を支える支持部材２２による支持高さを変えることによって傾斜角が変更可能な構成となっている。傾動フレーム１３の傾斜角を変えることで振動スクリーン１５の傾斜角が変わり、被選別物の性状に応じて振動スクリーン１５の選別能力を調整することができるように配慮されている。
【００２１】
また、スクリーンフレーム１６の上方には、被選別物の受け入れ性を向上させるホッパ（あおり）１８が設けられている。ホッパ１８も振動スクリーン１５と同じく傾動フレーム１３上に支持されている。さらに、振動スクリーン１５の下部には、下方に向かって縮径するシュート２３（図２参照）が排出コンベア３０の上面（搬送面）に対向して設けられており、振動スクリーン１５のスクリーン１７を通過した所定粒度以下の選別物がシュート２３を介して下方の排出コンベア３０上に導かれる。
【００２２】
パワーユニット２５は、本体フレーム７上の前側に搭載されている。パワーユニット２５の重心は走行体１よりも前方にあり、他の搭載機器と合わせた全体の重心が走行体１上に来るようにレイアウトされている。また特に図示していないが、自走式スクリーンの駆動源であるエンジンや、このエンジンにより駆動される少なくとも１つの油圧ポンプ、この油圧ポンプから各駆動装置に供給される圧油を制御する複数のコントロールバルブ等がパワーユニット２５に内蔵されている。
【００２３】
排出コンベア３０は、振動スクリーン１５を通過したスクリーン１７の目の大きさよりも粒度の小さな選別物を搬送し機体前方に排出するもので、コンベアフレーム３５と、コンベアフレーム３５の前後両端にそれぞれ回転自在に設けた駆動輪３６及び従動輪（不図示）と、駆動輪３６及び従動輪３７に掛け回したコンベアベルト３８と、駆動輪３６に連結した図示しない駆動装置（排出コンベア用油圧モータ）とを備えている。駆動装置３９によって駆動輪３６を回転させることによって駆動輪３６及び従動輪３７間でコンベアベルト３８が循環駆動する。コンベアフレーム３５は、振動スクリーン１５の下部のシュート２３の下方位置からパワーユニット２５の上方を通して前方に向かって上り傾斜となるように設けられている。また、コンベアフレーム３５の搬送方向中間部はパワーユニット２５における本体フレーム７の前方側に突出した突出部３２に支持部材３１を介して支持され、上流側の部分は支持部材３３を介して支持架台９のボトムフレーム１０上に支持されている。なお、コンベアフレーム３５は自走式スクリーンを輸送する際に一般道路の輸送制限高さに収めるために排出コンベア３０の前半部分を地面にほぼ平行に屈曲させられるようになっている。また特に図示していないが、排出コンベア３０には、従動輪側に公知のベルト張り調整機構が設けられている。
【００２４】
サイドコンベア２６は、振動スクリーン１５のスクリーン１７を通過せずスクリーン１７の後方から排出された粒度の大きな選別物を機体の側方（本例では左側）に搬送し排出するもので、搬送手段としての基本構成は排出コンベア３０と同様である。このサイドコンベア２６は、トレーラ等により自走式スクリーンを輸送する際に一般道路の輸送制限幅に収まるように前方に回動させたあと機体側部に沿って起立させた姿勢で収納することができるようになっている。
【００２５】
ここで、本発明の要部である振動スクリーン１５の構成について図２を参照してもう少し詳しく説明しておく。
【００２６】
振動スクリーン１５の本体をなすスクリーンフレーム１６の短手方向両側（本例では左右両側）の側壁は断面がコの字状に形成されており、これら短手方向両側の側壁は上下二段の支持ビーム、すなわち上段支持ビーム４５及び下段支持ビーム４６で連結されている。これらスクリーンフレーム１６の内側に掛け渡された両支持ビーム４５，４６とも、例えばアングルやチャンネル、Ｈ型鋼等の鋼材により形成され、両端がボルト或いは溶接等の固定手段によってスクリーンフレーム１６の内壁に対して固定されている。両支持ビーム４５，４６は、スクリーンフレーム１６の長手方向（本例では前後方向）に等間隔に複数配置されている。これによって、スクリーンフレーム１６に作業中の加振に耐え得る十分な剛性が与えられている。
【００２７】
また、スクリーンフレーム１６の左右側壁の内壁面には、上段支持ビーム４５よりも高位置にアングル等の鋼材で構成したスクリーン支持用の支持板４７が取り付けられており、適宜構成されたスクリーン拘束用のスクリーン拘束部材４８が更にその上方位置に取り付けられている。対して、スクリーン１７は、その短手方向の両端部（本例では左右両端部）が上方に折り返されており、支持板４７上に載置された状態で左右の折り返し部４９が上記スクリーン拘束部４８に把持されることによってスクリーンフレーム１６の左右両側壁の内壁に端部が拘束され保持されている。
【００２８】
このとき、投入された被選別物のスクリーン中央部への集中を抑制し篩面の短手方向に被選別物を分散させる目的で、スクリーン１７は上に凸形状となるように中間部（本例では短手方向中央部）を網支持部材５０によって下部側から支持されている。この網支持部材５０は、スクリーンフレーム１６の長手方向（本例では前後方向）に延びるビーム５１と、ビーム５１に被せられたカバーゴム５２とで構成されており、スクリーン１７に対する当接部分に柔軟な材質を用いることで網支持部材５０との接触によってスクリーン１７が傷付かないように配慮されている。
【００２９】
しかし、被選別物を篩い分ける際にはスクリーン１７は枠体１６とともに加振されるので、投入される被選別物の重量によりスクリーン１７の素線にかかる荷重は振動運動による被選別物との衝突・摩擦も相俟って非常に高い値となる。そのため、選別作業を反復して実施することによってスクリーンの素線の変形が弾性変形域から塑性変形域に移行するとスクリーンに緩みが発生してしまう。この場合、加振装置２０により加わる振動がスクリーン１７に効率良く伝わらず選別作業の効率が低下する。
【００３０】
そこで、本実施の形態の振動スクリーン１５には、スクリーン１７に生じる緩みを除去しスクリーン１７に張りを与える緊張装置５５が備えられている。次にその緊張装置５５の詳細構成を説明していく。
【００３１】
図３は図２に示した緊張装置５５の拡大図である。
【００３２】
図３に示すように、緊張装置５５は、上段支持ビーム４５と、上段支持ビーム４５上に中央部に固定されたベース５６、網支持部材５０を支持するスライドフレーム５７、ベース５６及びスライドフレーム５７を連結する複数のリンクアーム５８及びリンクアーム５８に保持された一対の雌ねじコマ５９を有するパンタグラフ型のリンク部材６０と、上記一対の雌ねじコマ５９に螺合する雄ねじ部６１を有するシャフト６２とを備えている。
【００３３】
ベース５６は、ボルト６３及びナット６４により上段支持ビーム４５に固定され、リンク部材６０を上段支持ビーム４５に対して固定する取り付け部としての機能を果たすとともに、各リンクアーム５８の下端部を回動自在に支持するブラケットの役割を果たす。
【００３４】
スライドフレーム５７は、網支持部材５０のビーム５１の取り付け部としての機能を果たすとともに、各リンクアーム５８の上端部を回動自在に支持するブラケットの役割も果たす。
【００３５】
リンクアーム５８は、ベース５６、スライドフレーム５７にそれぞれ連結された上側アーム６６と下側アーム６７を互いに回動自在に連結したもので、上下アーム６６，６７の連結部分に雌ねじコマ５９を設けている。
【００３６】
雌ねじコマ５９は、その設置態様に限定はないが、例えば１つのリンク部材６０に対して左右両側においてそれぞれ前後に２つずつ（計４つ）リンクアーム５８を設ければ、前後に隣り合うリンクアーム５８の間に介設することができる。また、雌ねじコマ５９を各リンクアーム５８のアーム６６，６７を連結するピンで支持する構成とすることもできる。いずれにしても、２つの雌ねじコマ５９に１本のシャフト６２を螺合することになるので、雌ねじコマ５９は回動可能としてネジ穴の向きが厳密に水平方向に固定されない構成とすることが好ましい。
【００３７】
シャフト６２は、スクリーン１７の短手方向（本例では左右方向）に延び、両端部がスクリーンフレーム１６の側壁に設けた小孔７０に臨んでおり、またシャフト６２の両端部は多角形（例えば正方形）の嵌合部７１となっている。シャフト６２の両端の嵌合部７１には、シャフト６２の回転操作用のハンドル７２が選択的に着脱され、いずれかの嵌合部７１にハンドル７２のクランク穴を嵌め合わせてハンドル７２を回すことでシャフト６２が回転する。このとき、左右一対の雌ねじコマ５９のネジ穴とシャフト６２の雄ねじ部６１のねじ山の向きは、シャフト６２の回転に伴って雌ねじコマ５９同士が逆方向に動くように設定されている。したがって、シャフト６２はその場で回転し、それに伴って左右の雌ねじコマ５９が互いに逆方向に移動してリンクアーム５８の角度を変える。すなわち、雌ねじコマ５９が互いに近付けばスライドフレーム５７が上昇し、網支持部材５０がスクリーン１７を上に押圧する。雌ねじコマ５９が互いに遠ざかればスライドフレーム５７が下降し、網支持部材５０がスクリーン１７から離間する。
【００３８】
このような構成により、緊張装置５５は、シャフト６２の回転操作によってスライドフレーム５７を網支持部材５０とともに上下にスライドさせ、スクリーン１７の緊張状態を調整する。
【００３９】
なお、この緊張装置５５は、前後方向に複数設けられている。本実施の形態の場合、図１の小孔７０の配置から判る通り、前後方向に４つの緊張装置５５を配置している。但し本実施の形態では、各緊張装置５５で網支持部材５０は共用されており、前後方向に延びる１本の網支持部材５０を各緊張装置５５のリンク部材６０で支持する構成としてある。各緊張装置５５はそれぞれ個別に操作可能であり、各緊張装置５５にハンドル７２が個別に必要なければハンドル７２は適宜共用すれば良い。また、シャフト６２の両端部に嵌合部７１を設ける必要がなければ（両側で操作可能な構成とする必要がなければ）嵌合部７１はシャフト６２の片側にのみ設ければ良い。
【００４０】
次に上記構成の本実施の形態に係る振動スクリーンを備えた自走式スクリーンの動作及び作用効果を説明する。
【００４１】
例えば図示しないホイールローダや油圧ショベル等の投入重機或いはコンベア等によって被選別物が投入されると、被選別物はホッパ１８にガイドされて振動スクリーン１５のスクリーン１７上に落下して篩い分けられる。この篩い選別の結果、振動するスクリーン１７を通過した所定粒度以下の選別物がシュート２３を介して排出コンベア３０上に導かれ、この排出コンベア３０によって前方に搬送され機体前方に排出される。一方、スクリーン１７を通過せずスクリーン１７上に残留する所定粒度以上の選別物は、スクリーン１７上を振動に伴ってスクリーン１７の下り傾斜方向（本実施の形態では後方）に移動してサイドコンベア２６上に落下し、サイドコンベア２６によって搬送され機体側方（本実施の形態では左側）に排出される。
【００４２】
本実施の形態においては、前述したように緊張装置５５を設けたことによって上記のような篩い分け作業に伴ってスクリーン１７に弛みが生じてもシャフト６２を回転操作してリンク部材６０をジャッキアップすることで弛んだスクリーン１７を再び張ることができる。
【００４３】
このとき、仮に網支持部材５０を回動運動させてスクリーン１７を押し上げる構成とした場合、スクリーン１７に直交する方向への網支持部材５０のストロークを十分に確保しようとすると網支持部材５０の回動半径を大きくしなければならず、操作に必要な力もそれだけ大きくなる。加えて、スクリーン１７にかかる衝撃力や慣性力を十分に支持することも難しい。
【００４４】
それに対し、本実施の形態の場合、網支持部材５０を上下に直線運動させてスクリーン１７に対して進退させる構成であるため、通常の使用で想定されるスクリーン１７の変形量に対して網支持部材５０のストロークを十分に確保することができ、なおかつ網支持部材５０の設定ストロークを大きくすることで必要な操作力が増大することもない。また、スクリーン１７にかかる衝撃力や慣性力を垂直に受けることができるので、支持反力を効率良く拘束することができ支持構造としての信頼性も高い。加えて、緊張装置５５には強くねじりモーメントが作用する構成部品がないので、大きなねじりモーメントを受けるための必要以上の部品の大径化も不要である。
【００４５】
よって、本実施の形態によれば、網支持部材５０のストロークを十分に確保することができるので、長期に亘ってスクリーンの緊張と弛緩を繰り返すうちに進行するスクリーンの変形にも柔軟に対応することができ、また操作力を効率的に網の張力に変換することができる。ひいては、まだスクリーン１７に長期間繰り返し張りを与えることができることとなるので、不必要なスクリーン１７の交換を抑制することもできる。
【００４６】
また、本実施の形態のようなネジを使ったジャッキ状の構成は上下に直線運動するものであるが故、スクリーン１７の中央下部に単に設置しても作業者の手が届かず操作が難しい。また、油圧や電動によって駆動する構成とすることも考えられるが、使用頻度や部品点数、部品の重量を考慮すればできるだけ簡素で安価な構成としたい。
【００４７】
そこで本実施の形態では、シャフト６２を緊張装置５５の左右に延ばし、ハンドル７２を嵌め合わせるシャフト６２の端部をスクリーンフレーム１６の側壁に設けた小孔２０に臨ませることにより、作業者が容易に緊張装置５５を操作することができる。
【００４８】
また、従来から広く知られているようにスクリーンの両端部にネジや楔等でモーメントを与えてスクリーンを反らせるような場合、複数の作業者で協力して両側のネジや楔を操作したり、一人であればスクリーンの両側に作業者が回り込んで片側ずつネジや楔を調整したりしなければならない。そのため、スクリーンの緊張操作や交換作業には少なからず手間や時間を要していた。
【００４９】
これに対しても、本実施の形態における緊張装置５５は、シャフト６２の左右いずれかの嵌合部７１にハンドル７２を取り付けて片側のみで操作することができるので、例えば左右両側で二人の作業者により協力して操作する必要もなく、一人の作業者が片側でハンドル７２を操作するのみで緊張装置５５を容易に操作することができる。したがって、スクリーン１７の張り調整や交換に要する手間や時間を軽減することができる。
【００５０】
図４は本発明の第２の実施の形態に係る振動スクリーンに備えられた緊張装置の構成図であり、図３に対応した図示態様となっている。図４において既出図面と同様の部分は既出図面と同符号を付して説明を省略する。
【００５１】
図４に示すように、本実施の形態における緊張装置５５Ｂが第１の実施の形態の緊張装置５５と相違する点は、第１の実施の形態のスライドフレーム５７に対してリンク部材６０Ｂのスライドフレーム５７Ｂを左右方向に延長した点、及びそのスライドフレーム５７Ｂ上にスライドフレーム５７Ｂの延在方向に複数（本例では３つ）の網支持部材５０ａ〜５０ｃを並べた点である。
【００５２】
スライドフレーム５７Ｂの長さ（左右方向寸法）はスクリーン１７の短手方向（左右方向）の長さ寸法の半分程度であり、スライドフレーム５７Ｂの左右の中央位置はスクリーン１７の左右の中央位置に一致している。このとき、ベース５６及び各リンクアーム５８の形状や大きさ等は第１の実施の形態と同様であり、本実施の形態の場合、スライドフレーム５７Ｂは長手方向中央部近傍（中央の網支持部材５０ｂの両側位置）を複数のリンクアーム５８で支持されている。
【００５３】
一方、網支持部材５０ａ〜５０ｃはこのスライドフレーム５７Ｂ上にスクリーン１７の短手方向幅の１／４ピッチの間隔で列設され、両側の網支持部材５０ａ，５０ｃはスライドフレーム５７Ｂの両端部近傍に、中央の網支持部材５０ｂはスライドフレーム５７Ｂの中央部にそれぞれ配置されている。また、スクリーン１７の反りに併せて中央の網支持部材５０ｂは両側の網支持部材５０ａ，５０ｃよりも上端が高くなるように高さ調整されている。各網支持部材５０ａ〜５０ｃの構成は第１の実施の形態の網支持部材５０と同様である。
【００５４】
その他の構成は第１の実施の形態と同様である。
【００５５】
本実施の形態においてもシャフト６２の回転操作によって緊張装置５５Ｂをジャッキアップすることができるので、第１の実施の形態と同様の効果を得ることができる。加えて、本実施の形態の場合、等間隔に配置した複数の網支持部材５０ａ〜５０ｃでスクリーン１７を支持することにより、振動するスクリーン１７の振幅を抑えることができる。すなわち、第１の実施の形態においてスクリーン１７は両端のスクリーン拘束部材４８と中央の網支持部材５０の３点で支持されており、スクリーン拘束部材４８と網支持部材５０と間の間隔はスクリーン幅の１／２となっている。それに対し、本実施の形態では支持位置の間隔がスクリーン幅の１／４に狭まっているため、振動による振幅が第１の実施の形態に比べて小さい。これにより、加振装置２０による振動がより効率的にスクリーン１７に反映され、選別効率が向上する。
【００５６】
図５は本発明の第３の実施の形態に係る振動スクリーンに備えられた緊張装置の構成図であり、図３に対応した図示態様となっている。図５において既出図面と同様の部分は既出図面と同符号を付して説明を省略する。
【００５７】
図５に示すように、本実施の形態における緊張装置５５Ｃが第２の実施の形態の緊張装置５５Ｂと相違する点は、各リンクアーム５８がスライドフレーム５７Ｃの端部近傍を支持している点である。
【００５８】
本実施の形態において、複数の網支持部材５０ａ〜５０ｃの位置は第２の実施の形態と同様であるが、両側の網支持部材５０ａ，５０ｂの外側にリンクアーム５８が連結されているため、このリンクアーム５８が連結するスペースを確保した分だけ、第２の実施の形態のスライドフレーム５７Ｂに対して本実施の形態のスライドフレーム５７Ｃは左右に長くなっている。また、リンクアーム５８の位置が左右方向の外側に移動した分、リンクアーム５８の下側を連結するベース５６Ｃも左右方向に長くなっており、ベース５６と各リンクアーム５８の連結位置は、前述した各実施の形態に比べて上段支持ビーム４５の両端部に近付いている。
【００５９】
その他の構成は第２の実施の形態と同様である。
【００６０】
本実施の形態においてもシャフト６２の回転操作によって緊張装置５５Ｃをジャッキアップすることができるので、前述した各実施の形態と同様と同様の効果を得ることができ、複数の網支持部材５０ａ〜５０ｃでスクリーン１７を支持することで第２の実施の形態と同様にスクリーン１７の剛性を高めて選別作業効率を向上させることができる。
【００６１】
加えて、スクリーン１７の衝撃力や慣性力は、スクリーンフレーム１６に固定された上段支持ビーム４５に緊張装置５５Ｃを介して拘束される。この点を考慮した場合、本実施の形態では、リンクアーム５８とベース５６Ｃとの連結箇所が上段支持ビーム４５の両端部に近い分だけ、スクリーン１７の衝撃力や慣性力を上段支持ビーム４５の両端部近傍に伝えることができる。これにより、上段支持ビーム４５にかかるモーメントを抑え、上段支持ビーム４５の撓みを抑制することができるので、スクリーン１７の剛性をより向上させて選別作業効率をさらに高めることができる。
【００６２】
図６は本発明の第４の実施の形態に係る振動スクリーンに備えられた緊張装置の構成図であり、図３に対応した図示態様となっている。図６において既出図面と同様の部分は既出図面と同符号を付して説明を省略する。
【００６３】
図６に示すように、本実施の形態における緊張装置５５Ｄが第２の実施の形態の緊張装置５５Ｂと相違する点は、スライドフレーム５７Ｄがスクリーン１７の選別物の通過範囲の幅に亘ってシャフト６２の上方をカバーしている点である。
【００６４】
図６に示した通り、本実施の形態において緊張装置５５Ｄを構成するリンク部材６０Ｄのスライドフレーム５７Ｄが、左右のスクリーン拘束部材４８の下方位置まで延在している。このスライドフレーム５７Ｄは例えばアングル材やチャンネル材等の前後方向に幅を持った鋼材で構成されており、これがシャフト６２に対して選別物の落下方向の上流側に位置してシャフト６２の泥除けの役割を果たしている。
【００６５】
その他の構成は第２の実施の形態と同様である。
【００６６】
本実施の形態においてもシャフト６２の回転操作によって緊張装置５５Ｄをジャッキアップすることができるので、前述した各実施の形態と同様と同様の効果を得ることができ、複数の網支持部材５０ａ〜５０ｃでスクリーン１７を支持することで第２の実施の形態と同様にスクリーン１７の剛性を高めて選別作業効率を向上させることができる。加えて、本実施の形態の場合、スライドフレーム５７Ｄが選別物の落下範囲においてシャフト６２をカバーしているので、シャフト６２への選別物の衝突を抑制することができる。これにより緊張装置５５Ｄの操作の主要部品であるシャフト６２の変形やシャフト６２への選別物の付着を抑制することができる。
【００６７】
図７は本発明の第５の実施の形態に係る振動スクリーンに備えられた緊張装置の構成図であり、図３に対応した図示態様となっている。図７において既出図面と同様の部分は既出図面と同符号を付して説明を省略する。
【００６８】
本実施の形態の緊張装置５５Ｅは図５に示した第３の実施の形態と図６に示した第４の実施の形態の各緊張装置５５Ｃ，５５Ｄの特徴を組み合わせた実施の形態であり、ベース５６Ｅが延長されてリンクアーム５８がスクリーンフレーム１６の側壁に近く配置され、かつスライドフレーム５７Ｅは選別物の落下範囲においてシャフト６２をカバーしている。また、網支持部材５０ａ〜５０ｃは複数設けられている。その他の構成は前述した各実施の形態と同様である。
【００６９】
このような構成とすることにより、第３の実施の形態と第４の実施の形態の効果を併せ持つことができる。そして、この例に限らず、前述した各実施の形態は適宜組み合わせ可能であり、構成の組み合わせによりそれぞれの効果を併せ持つことができる。
【００７０】
図８は本発明の第６の実施の形態に係る振動スクリーンに備えられた緊張装置の構成図であり、スクリーン１７の長手方向に沿った鉛直面で切断した振動スクリーンの断面図を表している。図８において既出図面と同様の部分は既出図面と同符号を付して説明を省略する。
【００７１】
図８に示すように、本実施の形態における緊張装置５５Ｆが前述した各実施の形態の緊張装置と相違する点は、シャフト６２Ｆがスクリーン１７の長手方向（この場合前後方向）に沿って延びる形状とした点にある。
【００７２】
本実施の形態では、前の各実施の形態に用いられていた上段支持ビーム４５に代わってスクリーン１７の長手方向（本例では前後方向）に延びる支持ビーム４５Ｆがスクリーン１７の下部に延在している。この支持ビーム４５Ｆの両端は、スクリーンフレーム１６の前後の側壁に対して固定されている。そして、緊張装置５５Ｆのリンク部材６０Ｆを構成するベース５６Ｆ、スライドフレーム５７Ｆも支持ビーム４５Ｆに沿って前後方向に延び、ベース５６とスライドフレーム５７Ｆの両端部を連結するリンクアーム５８に設けられた前後一対の雌ねじコマ５９にシャフト６２Ｆが通されている。
【００７３】
本例の場合、シャフト６２Ｆの前端の嵌合部７１のみがスクリーンフレーム１６の前方側壁の小孔７０に臨んでおり、振動スクリーンの前方からハンドル７２で緊張装置５５Ｆを操作する構成としているが、スクリーンフレーム１６の後方側壁に小孔７０を設けて振動スクリーンの後方から緊張装置５５Ｆを操作する構成、又は前後いずれからでも操作可能な構成とすることもできる。スライドフレーム５７Ｆについては前の各実施の形態と同様にスクリーン１７の長手方向に延在している。
【００７４】
その他の構成は前の各実施の形態と同様である。このような構成としてもシャフトをスクリーン１７の短手方向に延ばした構成と同様の効果を得ることができ、前の実施の形態の各特徴を適宜適用することで適用した特徴による効果を奏することができる。
【００７５】
図９は本発明の第７の実施の形態に係る振動スクリーンに備えられた緊張装置の構成図であり、図３に対応した図示態様となっている。図９において既出図面と同様の部分は既出図面と同符号を付して説明を省略する。
【００７６】
図９に示すように、本実施の形態における緊張装置５５Ｇが第１の実施の形態の緊張装置５５と相違する点は、スライドフレーム５７Ｇを上下にスライドさせる機構にある。
【００７７】
図９に示した通り、本実施の形態の緊張装置５５Ｇは、網支持部材５０を支持するスライドフレーム５７Ｇと、スライドフレーム５７Ｇの両端部に設けた雌ねじコマ７５と、雌ねじコマ７５を螺合させた雄ねじ部材７６とを備えている。
【００７８】
スライドフレーム５７Ｇは、チャンネルやアングル、Ｈ型鋼等の鋼材で構成されており、スクリーンフレーム１６の内側においてスクリーン１７の短手方向（左右方向）に渡されている。スライドフレーム５７Ｇの両端部は、スクリーンフレーム１６の側壁に設けた小孔７０に臨んでおり、これら両端部には雌ねじコマ７５を回転自在に保持するブラケット７７が固定されている。雌ねじコマ７５はブラケット７７に保持された状態で縦軸周りに回転自在となっている。
【００７９】
なお、スライドフレーム５７Ｇは、例えば第１の実施の形態の上段支持ビーム４５に代えて設けられる要素、すなわち支持ビームとしても機能する部材としても良いし、上下段の支持ビーム４５，４６に加えて設ける要素、すなわち単純に第１の実施の形態のスライドフレーム５７と同じ役割を果たす部材として設けても良い。
【００８０】
一方、雄ねじ部材７６はその周胴部にねじ山を切った棒状の部材であり、例えばボルト類が使用できる。雄ねじ部材７６は、スクリーンフレーム１６の左右の側壁の外壁面における小孔７０の上下位置に設けたブラケット７８，７９と、これらブラケット７８，７９の間に位置するスライドフレーム５７Ｇのブラケット７７に通されている。上側のブラケット７８は雄ねじ部材７６を通す穴（不図示）にねじ山を設ける必要はなく、下側のブラケット７９に設けたネジ穴（不図示）に螺着することにより、上下に延在する姿勢でスクリーンフレーム１６に支持されている。雌ねじコマ７５はネジ穴（不図示）を持つ部材であり、ブラケット７８，７９の間で雄ねじ部材７６に螺合している。この雌ねじコマ７５には、例えばナット類を適宜使用することができる。
【００８１】
例えばスパナのような工具を用いて回転操作すると雄ねじ部材７６に沿って上下に移動する。本実施の形態では、これによりスライドフレーム５７Ｇ及び網支持部材５０を上下にスライドさせ、スクリーン１７の張り状態を調整する構成となっている。その他の構成は第１の実施の形態と同様であり、また本実施の形態において例えば第２の実施の形態のように複数の網支持部材５０ａ〜５０ｃをスライドフレーム５７Ｇ上に複数設置することも考えられるし、第７の実施の形態のようにスライドフレーム５７Ｇを前後方向に延在する構成に適用することもできる。
【００８２】
本実施の形態においては、スライドフレーム５７Ｇを上下動させるのに左右両側の雌ねじコマ７５を操作する必要があるが、この点を除いて先に説明した各実施の形態と同様の効果を得ることができる。
【００８３】
なお、以上の各実施の形態では、一段のスクリーン１７によって所定粒度より大きいか小さいかの２つのグループに被選別物を分ける振動スクリーンに本発明を適用した場合を例に挙げて説明したが、２段以上のスクリーンを用いて粒度に応じて３つ以上のグループに被選別物を篩い分ける振動スクリーンにも本発明は適用可能であり、同様の効果を得ることができる。
【図面の簡単な説明】
【００８４】
【図１】本発明の第１の実施の形態に係る振動スクリーンを搭載した自走式スクリーンの全体構成を表す側面図である。
【図２】図１中のII−II断面による断面図である。
【図３】本発明の第２の実施の形態に係る振動スクリーンに備えられた緊張装置の構成図である。
【図４】本発明の第２の実施の形態に係る振動スクリーンに備えられた緊張装置の構成図である。
【図５】本発明の第３の実施の形態に係る振動スクリーンに備えられた緊張装置の構成図である。
【図６】本発明の第４の実施の形態に係る振動スクリーンに備えられた緊張装置の構成図である。
【図７】本発明の第５の実施の形態に係る振動スクリーンに備えられた緊張装置の構成図である。
【図８】本発明の第６の実施の形態に係る振動スクリーンに備えられた緊張装置の構成図である。
【図９】本発明の第７の実施の形態に係る振動スクリーンに備えられた緊張装置の構成図である。
【符号の説明】
【００８５】
１                    走行体
２                    トラックフレーム
７                    本体フレーム
９                    支持架台
１５                  振動スクリーン
１６                  スクリーンフレーム（枠体）
１７                  スクリーン（網部材）
１８                  ホッパ（あおり）
２０                  加振装置
２３                  シュート
２５                  パワーユニット
２６                  サイドコンベア
３０                  排出コンベア
４５，４５Ｆ          上段支持ビーム
４６                  下段支持ビーム
４７                  支持板
４８                  スクリーン拘束部材
４９                  折り返し部
５０，５０ａ〜ｃ      網支持部材
５１                  ビーム
５２                  カバーゴム
５５，５５Ｂ〜Ｇ      緊張装置
５６，５６Ｆ          ベース
５７，５７Ｂ〜Ｇ      スライドフレーム
５８                  リンクアーム
５９                  雌ねじコマ
６０，６０Ｂ，Ｆ，Ｆ  リンク部材
６１                  雄ねじ部
６２，６２Ｆ          シャフト
６３                  ボルト
６４                  ナット
６６                  上側アーム
６７                  下側アーム
７０                  小孔
７１                  嵌合部
７２                  ハンドル
７５                  雌ねじコマ
７６                  雄ねじ部材
７７〜７９            ブラケット
【図１】
2009279526.tif 000003
【図２】
2009279526.tif 000004
【図３】
2009279526.tif 000005
【図４】
2009279526.tif 000006
【図５】
2009279526.tif 000007
【図６】
2009279526.tif 000008
【図７】
2009279526.tif 000009
【図８】
2009279526.tif 000010
【図９】
2009279526.tif 000011